(57)【要約】【課題】点検、修理を精度良くしかも迅速に行うことができる空気調和機を提供する。【解決手段】複数の室内機８ａ、８ｂと室外機６を遠隔で制御する遠隔制御装置１と、前記室外機６を制御すると共にデータを通信線５を介して前記遠隔制御装置１に送信する室外機制御部７と、前記室内機８ａおよび８ｂを制御すると共にデータを通信線５を介して前記遠隔制御装置１に送信する室内機制御部９と、前記室内機８ａ、８ｂおよび前記室外機６とデータを送受信する遠隔制御装置制御部３と、前記遠隔制御装置１に設けられると共に使用者によって操作される仕様確認手段２と、表示部４とを備え、前記遠隔制御装置制御部３に、空調システムの仕様、前記室外機６や前記室内機８ａ、８ｂの機種名、型番などの仕様情報を予め記憶させておき、前記仕様確認手段２を操作すると前記表示部４に前記仕様情報を表示させるようにした。【選択図】図１
2013160466.tif 000002
【特許請求の範囲】
【請求項１】
複数の室内機と室外機を遠隔で制御する遠隔制御装置と、前記室外機を制御すると共にデータを通信線を介して前記遠隔制御装置に送信する室外機制御部と、前記室内機を制御すると共にデータを通信線を介して前記遠隔制御装置に送信する室内機制御部と、前記室内機および前記室外機とデータを送受信する遠隔制御装置制御部と、前記遠隔制御装置に設けられると共に使用者によって操作される仕様確認手段と、表示部とを備え、前記遠隔制御装置制御部に、空調システムの仕様、前記室外機や前記室内機の機種名、型番などの仕様情報を予め記憶させておき、前記仕様確認手段を操作すると前記表示部に前記仕様情報を表示させるようにしたことを特徴とする空気調和機。
【発明の詳細な説明】
【技術分野】
【０００１】
本発明は、空気調和機に関するものである。
【背景技術】
【０００２】
従来の空気調和機においては、室内機に設定温度などの指示を与えるべく指示データを送信するリモコンを備え、異常内容に対応した異常コードを表示する異常コード表示部が設けられている。異常コード表示部は、リモコンに設けられ、リモコンから室内機に異常コード表示要求信号を送信した際に、室内機からリモコンへ異常データを送信し、その異常データを受信したリモコンは、異常データを元に異常データ表示部に異常コードを表示するようになっていた（例えば、特許文献１参照）。
【０００３】
図２は、上記特許文献１に記載された従来の空気調和機の構成ブロック図を示すものである。
【０００４】
図２に示すように、従来の空気調和機の室外機３０には、室外機３０の各部の故障を認識して、その故障データを室内機２０に配したシステム側制御部２５に送信する室外故障原因認識部３１が設けられ、室内機２０には、室内機２０内の故障を認識して、その故障データを、システム側制御部２５に送信する室内故障原因認識部２１と、リモコン１９からの指示データを受信すると共にそれをシステム側制御部２５に送信する室内機側受信部２２と、故障に関するデータをリモコン１９へ送信する室内機側送信部２３とが設けられている。
【０００５】
そして、リモコン１９は、内部に設けられた複数の操作キー（操作部）１１ａを有する操作部分１１と、複数の表示部１２ａと時間を表示する表示部１２ｂを有する表示パネル１２と、操作キー１１ａの操作により、室内機２０に指示データ等を送信するためのリモコン側送信部１４と、室内機２０からの故障データを受信するためのリモコン側受信部１３と、これらの複数の操作キー１１ａの内には、リモコン側送信部１４から故障コード表示要求信号を送信するための点検キー１１ｂと、表示部１２ａの表示が切換えられるように制御を行う制御部１５とから構成されている。
【先行技術文献】
【特許文献】
【０００６】
【特許文献１】特開２００１−９１０３３号公報
【発明の概要】
【発明が解決しようとする課題】
【０００７】
しかしながら、前記従来の空気調和機の構成では、異常発生時に故障原因は認識することができるが、複数の室内機と室外機のシステムで構成されるマルチ型エアコンで、遠隔から制御する場合、空調システムの仕様や機種名等をサービスに知らせることができないという課題を有していた。
【０００８】
本発明は、前記従来の課題を解決するもので、複数の室内機と室外機のシステムで構成されるマルチ型エアコンで異常が発生した時、サービスがまず知りたい情報である、空調システムの仕様や機種名等をサービスにすぐ知らせるようにして、点検、修理を精度良くしかも迅速に行うことができる空気調和機を提供することを目的とする。
【課題を解決するための手段】
【０００９】
前記従来の課題を解決するために、本発明の空気調和機は、複数の室内機と室外機を遠隔で制御する遠隔制御装置と、前記室外機を制御すると共にデータを通信線を介して前記遠隔制御装置に送信する室外機制御部と、前記室内機を制御すると共にデータを通信線を介して前記遠隔制御装置に送信する室内機制御部と、前記室内機および前記室外機とデータを送受信する遠隔制御装置制御部と、前記遠隔制御装置に設けられると共に使用者によって操作される仕様確認手段と、表示部とを備え、前記遠隔制御装置制御部に、空調システムの仕様、前記室外機や前記室内機の機種名、型番などの仕様情報を予め記憶させておき、前記仕様確認手段を操作すると前記表示部に前記仕様情報を表示させるようにしたものである。
【００１０】
これによって、遠隔から空気調和機を管理するビル管理者が、サービスが知りたい情報である、空調システムの仕様や機種名等を早くサービスに知らせることができるので、空調システムの仕様や機種名等の問い合わせを低減して、点検、修理を精度良くしかも迅速に行うことができる。
【発明の効果】
【００１１】
本発明の空気調和機は、複数の室内機と室外機のシステムで構成されたマルチ型エアコンで異常が発生した時でも、遠隔からマルチ型エアコンを管理するビル管理者が、サービスが直ぐに知りたい情報である、空調システムの仕様や機種名等を早くサービスに知らせることができ、サービスからの問い合わせが多い、空調システムの仕様や機種名等の問い合わせを低減し、点検、修理を精度良くしかも迅速に行うことができる。
【図面の簡単な説明】
【００１２】
【図１】本発明の実施の形態１における空気調和機の構成ブロック図
【図２】従来の空気調和機の構成ブロック図
【発明を実施するための形態】
【００１３】
第１の発明は、複数の室内機と室外機を遠隔で制御する遠隔制御装置と、前記室外機を制御すると共にデータを通信線を介して前記遠隔制御装置に送信する室外機制御部と、前記室内機を制御すると共にデータを通信線を介して前記遠隔制御装置に送信する室内機制御部と、前記室内機および前記室外機とデータを送受信する遠隔制御装置制御部と、前記遠隔制御装置に設けられると共に使用者によって操作される仕様確認手段と、表示部とを備え、前記遠隔制御装置制御部に、空調システムの仕様、前記室外機や前記室内機の機種名、型番などの仕様情報を予め記憶させておき、前記仕様確認手段を操作すると前記表示部に前記仕様情報を表示させるようにしたことにより、複数の室内機と室外機のシステムで構成されるマルチ型エアコンで異常が発生した時に、遠隔から制御するビル管理者が仕様確認手段を操作することで、サービスがまず知りたい情報である、空調システムの仕様や、室内機、室外機の機種名等をすぐにサービスに知らせることができるので、空調システムの仕様や機種名等の問い合わせを低減して、点検、修理を精度良くしかも迅速に行うことができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の構成ブロック図を示すものである。
【００１６】
図１において、本実施の形態における複数の室内機８ａ、８ｂと室外機６を遠隔で制御する遠隔制御装置１と、室内機８ａ、８ｂと室外機６の詳細仕様を表示する表示部４と、
複数の室内機８ａ、８ｂと室外機６とに異常が発生した時に仕様や情報を知りたい時に操作する遠隔制御装置１内に設けられた仕様確認手段２と、異常が発生した時に異常データを受信し、仕様確認手段２の操作があった時に表示部４に仕様内容を表示させる遠隔制御装置制御部３と、室外機６に異常が発生した時に異常データを遠隔制御装置１に送信する室外機制御部７と、複数の室内機８ａおよび８ｂに異常が発生した時に異常データを遠隔制御装置１に送信する室内機制御部９と、遠隔制御装置１と室内機８ａ、８ｂと室外機６とを接続する通信線５とから構成されている。
【００１７】
なお、本実施の形態では、空調システムの仕様や、室外機６、室内機８ａ、８ｂのそれぞれの機種名、型番などに関する仕様情報が予め遠隔制御装置制御部３に配した記憶部（図示せず）に記憶されている。
【００１８】
以上のように構成された空気調和機について、以下その動作、作用を説明する。
【００１９】
まず、空調システムの室内機８ａ、８ｂ、室外機６のいずれかに異常が発生した時、通信線５を介して遠隔制御装置制御部３に異常データが送信され、遠隔制御装置制御部３が表示部４に異常表示をさせる。
【００２０】
表示部４に異常表示があると、遠隔制御装置１内の仕様確認手段２を操作することで、遠隔制御装置１の表示部４に点検箇所や、空調システムの仕様、機種名等といった仕様詳細内容が表示される。
【００２１】
以上のように本実施の形態においては、仕様確認手段２を操作することで、マルチ型エアコンで異常が発生した時に、遠隔から制御するビル管理者が、異常発生時にサービスが知りたい空調システムの点検箇所や、空調システムの仕様、機種名等といった仕様情報をすぐ知らせることができるので、点検、修理を精度良くしかも迅速に行うことができる。
【産業上の利用可能性】
【００２２】
以上のように、本発明にかかる空気調和機は、サービスの知りたい仕様情報等を表示することができ、異常発生時にもサービスの対応が迅速かつ容易となるので、リモコンおよび製品本体を有する電気装置全般に広く適用できる。
【符号の説明】
【００２３】
１  遠隔制御装置
２  仕様確認手段
３  遠隔制御装置制御部
４  表示部
５  通信線
６  室外機
７  室外機制御部
８ａ  室内機
８ｂ  室内機
９  室内機制御部
【図１】
2013160466.tif 000003
【図２】
2013160466.tif 000004